(57)【特許請求の範囲】
【請求項１】
浄化槽の点検、保守、検査、清掃等の管理をするための浄化槽管理システムであって、
前記浄化槽のそれぞれの浄化槽チェックシートを含む元管理ファイルを備えた管理用計算機と、前記元管理ファイルから一部または全部の浄化槽チェックシートをダウンロードして子管理ファイルとして格納するモバイル計算機と、前記モバイル計算機の子管理ファイルから一つの浄化槽チェックシートをダウンロードし前記モバイル計算機と切り離して使用する携帯用入出力端末とからなり、
前記携帯用入出力端末は、前記浄化槽チェックシートの各作業項目の表示切り替え前後の時間を前記各作業項目の作業の所要時間として前記浄化槽チェックシートへ記録する手段と、前記浄化槽チェックシートを前記モバイル計算機へアップロードする手段とを備え、
前記モバイル計算機は、前記携帯用入出力端末からアップロードされた浄化槽チェックシートに基づいて前記子管理ファイルを更新する手段と、前記子管理ファイルを前記管理用計算機へアップロードする手段とを備え、
前記管理用計算機は、前記モバイル計算機からアップロードされた子管理ファイルに基づいて前記元管理ファイルを更新する手段を備え、この更新された元管理ファイルに蓄積された前記各作業項目の作業の所要時間に基づいて前記各作業項目の所要時間の平均値を求めることにより、各作業項目に対する適正な作業時間を算出することを特徴とする
浄化槽管理システム。
【請求項２】
浄化槽の点検、保守、検査、清掃等の管理をするための浄化槽管理システムであって、
前記浄化槽のそれぞれの浄化槽チェックシートを含む元管理ファイルを備えた管理用計算機と、前記元管理ファイルから一部の浄化槽チェックシートをダウンロードして子管理ファイルとして格納し前記管理用計算機と切り離して使用する携帯用入出力端末とからなり、
前記携帯用入出力端末は、前記浄化槽チェックシートの各作業項目の表示切り替え前後の時間を前記各作業項目の作業の所要時間として前記浄化槽チェックシートへ記録する手段と、前記浄化槽チェックシートを含む子管理ファイルを前記管理用計算機へアップロードする手段とを備え、
前記管理用計算機は、前記携帯用入出力端末からアップロードされた子管理ファイルに基づいて前記元管理ファイルを更新する手段を備え、この更新された元管理ファイルに蓄積された前記各作業項目の作業の所要時間に基づいて前記各作業項目の所要時間の平均値を求めることにより、各作業項目に対する適正な作業時間を算出することを特徴とする
浄化槽管理システム。
【発明の詳細な説明】
【技術分野】
【０００１】
本発明は、個人住宅や地域に分散する施設等の浄化槽を巡回して点検や保守などを行い、またはこれらの浄化槽の検査や清掃などを行い、その場で報告書等の作成作業を行って管理するための浄化槽管理システムに関する。
【背景技術】
【０００２】
上下水道は古くから発達してきており、人社会にとって不可欠のものである。下水道については、環境の汚染を防止する意味で、今日では特に重要なものとなっている。汚水を受け入れてから処理して排水するまでの汚水処理システムとして、大都市では大規模な下水システムが発達しているが、建物や施設が分散している地域ではコストの面から大規模な下水道を敷設するのは困難であり、分散型の浄化槽システムが使われることが多くなっている。
【０００３】
個人住宅や地域の施設で使われる浄化槽システムは、処理能力や処理内容によって構成が様々であり、また同じような規模であっても用いられる機器のメーカなどが異なるため、ほとんどの浄化槽は構成が異なっているといっても過言ではない。一方、浄化槽は１年に数回は点検し、状況に応じて清掃、調整などの保守を行うことが義務づけられており、その実務は地域の組織や企業に委託されている。そして複数の企業が分担して管理をしていることが多い。このような背景にあって、従来の浄化槽の管理は次のようにして行われている。
【０００４】
個人住宅や地域の施設等が建設されて浄化槽が設置されると、その浄化槽の処理能力や処理内容、規模、構成に基づいて管理すべき事項がリストアップされ、管理用の浄化槽チェックリストが作成される。その場合、用いる設備、機器を一つ一つ洗い出して各々について管理すべき事項をリストアップしている。こうして作成された各々の浄化槽の浄化槽チェックリストが管理を委託された企業の管理棟に保存され、管理するときに持ち出して使われる。
【０００５】
浄化槽を管理するときは、委託された企業が１日で管理する複数の浄化槽の浄化槽チェックリストを抽出し、作業者がそれを持って巡回用の車に乗り、巡回する。巡回するときは始めに浄化槽の巡回順序を決め、その順番で巡回する。浄化槽の設置場所に着くと、その浄化槽に該当するシートを選択し、表示されている項目ごとに管理のための作業を実施する。そして、シートの当該箇所に実施した旨を記入し、全項目が終わるまで同じことを繰り返す。依頼元から料金を受け取った場合は、料金を収納したことも浄化槽チェックシートに記載する。浄化槽の管理が終わると、リストを見て管理が終わっていない次の順番の浄化槽を見出し、その場所を探して車で移動する。そして前の浄化槽と同様の作業を繰り返して管理する。リストに記載された全ての浄化槽の管理を終えると、持ちかえって浄化槽チェックシートの整理をして、その後のために必要とする集計等の計算をする。水質検査機関による浄化槽の検査についても同様の手順により行う。
【０００６】
本発明者らは、上記浄化槽チェックシートを効率よく、確実に作成できるようにするとともに、浄化槽の管理を、安全で確実に、かつ効率よくできるようにすることを目的として、特許文献１に記載の浄化槽管理システムを開発した。
【０００７】
この浄化槽管理システムによれば、
（１）分散する浄化槽を管理するために巡回するとき、モバイル計算機または携帯用入出力端末が次の点検地の所在地や地図を表示するので、無駄な時間を要することなく巡回することができて管理コストを抑えることができる。
（２）モバイル計算機から携帯用入出力端末に浄化槽のファイルをダウンロードしているため、浄化槽の設置場所にたどり着くと速やかに浄化槽の管理に着手することができて、無駄な時間を省いて管理コストを抑えることができる。
（３）携帯用入出力端末が表示するとおりに作業を進めればよいので、管理事項を見落とすこともなく、作業順序が適切となり、１回で確実に浄化槽の管理を終えることができる。したがって、管理コストを抑えられると同時に管理後の状態が安全に保たれる。
（４）管理終了後も、モバイル計算機または携帯用入出力端末から人手を介さず管理用計算機にデータをアップロードするので、入力ミスによるトラブルを生じることなく、管理コストも抑えることができる。
という効果が得られる。
【０００８】
【特許文献１】特開２００２−２３０１４５号公報
【発明の開示】
【発明が解決しようとする課題】
【０００９】
上記のように特許文献１に記載の浄化槽管理システムによれば、浄化槽の各種管理作業の一つ一つの無駄な時間を省いて管理コストを抑えることが可能である。しかしながら、この浄化槽管理システムでは、実際にどの程度無駄な時間を省くことができているのかを把握することができない。実際に各種管理作業を行うのは作業員であり、１日にいくつの浄化槽を巡回できたか、一つの浄化槽につき作業に何時間要したかといった情報は、作業員の自己申告に基づいて算出しなければならないからである。
【００１０】
また、作業員自身も一つの浄化槽に対して２００〜３００程度ある作業項目について、作業ごとにその所要時間を記録することは事実上不可能であるため、各作業にそれぞれどの程度の時間を要しているのかを把握することができない。仮に、作業ごとにその所要時間を記録するようにすると、この記録作業に時間を要してしまうため、この浄化槽管理システムによって省いた時間が損なわれることになる。
【００１１】
そこで、本発明は、浄化槽の各管理作業のそれぞれについてその所要時間を容易に把握可能とし、浄化槽管理の無駄な時間を省いて管理コストを抑えることが可能な浄化槽管理システムを提供することを目的とする。
【課題を解決するための手段】
【００１２】
本発明の浄化槽管理用の携帯用入出力端末は、浄化槽の点検、保守、検査、清掃等の管理作業に用いられる浄化槽チェックシートに含まれる各作業項目を順番に表示する浄化槽管理用の携帯用入出力端末であって、各作業項目の表示切り替え前後の時間を各作業項目の作業の所要時間として浄化槽チェックシートへ記録する手段を備えたものである。
【００１３】
本発明の浄化槽管理用の携帯用入出力端末によれば、浄化槽チェックシートに含まれる各作業項目が順番に表示される際、各作業項目の表示切り替え前後の時間が各作業項目に要した作業時間すなわちその作業の所要時間として浄化槽チェックシートへ記録される。
【００１４】
上記本発明の浄化槽管理用の携帯用入出力端末は、浄化槽の点検、保守、検査、清掃等の管理作業に用いられる浄化槽チェックシートに含まれる各作業項目を順番に表示する浄化槽管理用の携帯用入出力端末を、各作業項目の表示切り替え前後の時間を各作業項目の作業の所要時間として浄化槽チェックシートへ記録する手段として機能させるための制御プログラムにより実現可能である。
【００１５】
また、本発明の浄化槽管理システムは、浄化槽の点検、保守、検査、清掃等の管理をするための浄化槽管理システムであって、浄化槽のそれぞれの浄化槽チェックシートを含む元管理ファイルを備えた管理用計算機と、元管理ファイルから一部または全部の浄化槽チェックシートをダウンロードして子管理ファイルとして格納するモバイル計算機と、モバイル計算機の子管理ファイルから一つの浄化槽チェックシートをダウンロードしモバイル計算機と切り離して使用する携帯用入出力端末とからなり、携帯用入出力端末は、浄化槽チェックシートの各作業項目の表示切り替え前後の時間を各作業項目の作業の所要時間として浄化槽チェックシートへ記録する手段と、浄化槽チェックシートをモバイル計算機へアップロードする手段とを備え、モバイル計算機は、携帯用入出力端末からアップロードされた浄化槽チェックシートに基づいて子管理ファイルを更新する手段と、子管理ファイルを管理用計算機へアップロードする手段とを備え、管理用計算機は、モバイル計算機からアップロードされた子管理ファイルに基づいて元管理ファイルを更新する手段を備えたものである。
【００１６】
本発明の浄化槽管理システムによれば、浄化槽のそれぞれの浄化槽チェックシートを含む元管理ファイルの一部または全部の浄化槽チェックシートを管理用計算機からモバイル計算機にダウンロードして子管理ファイルとして格納し、モバイル計算機の子管理ファイルから一つの浄化槽チェックシートを携帯用入出力端末にダウンロードし、携帯用入出力端末に表示される浄化槽チェックシートの各作業項目の表示切り替え前後の時間を各作業項目の作業の所要時間として浄化槽チェックシートへ記録し、携帯用入出力端末からモバイル計算機へ浄化槽チェックシートをアップロードし、携帯用入出力端末からアップロードされた浄化槽チェックシートに基づいてモバイル計算機の子管理ファイルを更新し、モバイル計算機から管理用計算機へ子管理ファイルをアップロードし、モバイル計算機からアップロードされた子管理ファイルに基づいて管理用計算機の元管理ファイルを更新することができ、各作業項目の所要時間を記録した浄化槽チェックシートを管理用計算機により管理することが可能となる。
【００１７】
また、本発明の別の浄化槽管理システムは、浄化槽の点検、保守、検査、清掃等の管理をするための浄化槽管理システムであって、浄化槽のそれぞれの浄化槽チェックシートを含む元管理ファイルを備えた管理用計算機と、元管理ファイルから一部の浄化槽チェックシートをダウンロードして子管理ファイルとして格納し管理用計算機と切り離して使用する携帯用入出力端末とからなり、携帯用入出力端末は、浄化槽チェックシートの各作業項目の表示切り替え前後の時間を各作業項目の作業の所要時間として浄化槽チェックシートへ記録する手段と、浄化槽チェックシートを含む子管理ファイルを管理用計算機へアップロードする手段とを備え、管理用計算機は、携帯用入出力端末からアップロードされた子管理ファイルに基づいて元管理ファイルを更新する手段を備えたものである。
【００１８】
この浄化槽管理システムでは、浄化槽のそれぞれの浄化槽チェックシートを含む元管理ファイルの一部の浄化槽チェックシートを管理用計算機から携帯用入出力端末にダウンロードして子管理ファイルとして格納し、携帯用入出力端末に表示される浄化槽チェックシートの各作業項目の表示切り替え前後の時間を各作業項目の作業の所要時間として浄化槽チェックシートへ記録し、携帯用入出力端末から管理用計算機へ浄化槽チェックシートを含む子管理ファイルをアップロードし、携帯用入出力端末からアップロードされた子管理ファイルに基づいて管理用計算機の元管理ファイルを更新することができ、各作業項目の所要時間を記録した浄化槽チェックシートを管理用計算機により管理することが可能となる。
【発明の効果】
【００１９】
本発明によれば、浄化槽の点検、保守、検査、清掃等の管理作業に用いられる浄化槽チェックシートに含まれる作業項目を順番に表示する浄化槽管理用の携帯用入出力端末により、順番に表示される浄化槽チェックシートに含まれる各作業項目の作業の所要時間が自動的に浄化槽チェックシートへ記録されるため、浄化槽の各管理作業のそれぞれについてその所要時間を、作業員の自己申告に依らず容易に把握することが可能となり、浄化槽管理の無駄な時間を省いて管理コストを抑えることができる。また、各作業項目に対する適正な作業時間を算出することができるため、この適正な作業時間に基づいて浄化槽の各管理作業に対する適正な価格を設定することが可能となる。
【発明を実施するための最良の形態】
【００２０】
図１は本発明の実施の形態における浄化槽チェックシートの作成方法を説明するための図である。同図（ａ）は、作成するチェックシートの対象となっている浄化槽Ａの構成例を示している。同図（ａ）に示すように、浄化槽Ａは、沈殿分離槽ａ、接触ばっ気槽ｂ、沈殿槽ｃおよび消毒槽ｄからなり、汚泥等は図中の矢印に示すような経路で流れる。同図（ｂ）は浄化槽の点検、保守、検査、清掃等の管理作業に用いられるチェックシートを格納した浄化槽チェックシートデータベースＢの構成を示している。同図（ｃ）は本実施形態における作成方法によって作成された浄化槽Ａのチェックシートを示している。浄化槽チェックシートデータベースＢに格納されたチェックシートは、それぞれ、管理すべき事項が、管理する順番も勘案して記載されている。
【００２１】
本実施形態においては、まず、浄化槽に用いられるあらゆる装置毎に管理すべき事項をリストアップし、その順序を決めてチェックシートａ１，ａ２，ｂ１，ｂ２，ｃ１，ｃ２，ｄ１等を作る。次に、こうして作ったチェックシートａ１，ａ２，ｂ１，ｂ２，ｃ１，ｃ２，ｄ１等を集めて浄化槽チェックシートデータベースＢに格納しておく。浄化槽Ａの管理を開始する際、沈殿分離槽ａ、接触ばっ気槽ｂ、沈殿槽ｃ、消毒槽ｄに対応する四つのチェックシート、すなわち、沈殿分離槽のチェックシートａ１、接触ばっ気槽のチェックシートｂ１、沈殿槽のチェックシートｃ１、消毒槽のチェックシートｄ１、を浄化槽チェックシートデータベースＢから抽出する。そして、抽出された四つのチェックシートを各槽の管理順序を勘案して並べ、浄化槽ＡのチェックシートＡ１を作成する。
【００２２】
図２は予め作成された（ａ）標準浄化槽チェックシートと、本実施形態における作成方法により作成された（ｂ）浄化槽チェックシートを示している。個人住宅や地域の施設で使われる浄化槽システムは、処理能力や処理内容によって構成が様々であり、また同じような規模であっても用いられる機器のメーカなどが異なるため、ほとんどの浄化槽は構成が異なっているといっても過言ではない。そこで、本実施形態においては、広く使われる浄化槽の中から標準的な構成を有するいくつかの浄化槽を決めておき、その標準浄化槽の点検や保守などの管理事項を決めたチェックシートを始めに作成しておく。その管理事項の順番についても、効率よく実施できるよう順番を十分検討して決めておく。このようにして予め定められた多数の標準浄化槽チェックシートの一例が図２の（ａ）である。
【００２３】
新しく浄化槽の管理をすることになり、その構成等からみて最も近いということで選ばれた標準浄化槽のチェックシートが（ａ）であったとする。このチェックシートには標準浄化槽の管理事項が記載され、（１）駐車、（２）挨拶、から（１３）完了通知比較、まで順番も決められている。管理事項の中には下位の管理事項が決められているものもある。例えば、（２）挨拶、については、（２０１）異常臭気、から（２０７）設置者に報告、までの下位事項が順番に決められている。新しい浄化槽の浄化槽チェックシートを作るときは、この標準浄化槽チェックシートの管理事項が異なっているところを修正すればよく、この例の場合、標準浄化槽チェックシートの（２０５）流入管路、マンホール周辺路面の異常、（５０１）水質測定器の調整、が削除され、新たに（６１０）ブロワ、（６１１）換気装置、（７１１）ブロワ、（７１２）換気装置、が追加され（ｂ）の浄化槽チェックシートが作られている。このように、予め作られた多数の標準浄化槽チェックシートから構成等が最も近い浄化槽のチェックシートを抽出して修正すれば新規に管理する浄化槽のチェックシートができあがるので、漏れが少なくなり、作成する時間も短時間で済む。
【００２４】
図３は本発明の実施の形態における浄化槽管理システムの概要を説明する図、図４はその構成を示すブロック図、図５は本システムで使われるファイルの構成を示す図、図６は本システムによる浄化槽管理手順を示すフロー図である。
【００２５】
図３および図４において、管理用計算機１は、入力装置１１、出力装置１２、表示装置１３、中央処理装置１４、記憶装置１５から構成され、浄化槽の管理を委託された企業の管理棟１０に設置される。記憶装置１５には浄化槽の管理に用いる元管理ファイル１６が格納されており、これを管理するアプリケーションプログラムも格納されている。元管理ファイル１６には当該企業が管理を委託されている浄化槽の浄化槽チェックシートが全て含まれている。元管理ファイル１６のデータは、入力装置１１からデータを入力して書き換えることができ、データの一部を表示装置１３に表示したり、プリンタや外部記憶装置などの出力装置１２に出力したりすることができる。中央処理装置１４は、記憶装置１５に格納された管理用のアプリケーションプログラムを起動すると、元管理ファイル１６の処理に関係する全ての機能を管理用計算機１に付加することができる。
【００２６】
モバイル計算機２は、入力装置２１、出力装置２２、表示装置２３、中央処理装置２４、記憶装置２５から構成され、巡回用の車２０に搭載される。記憶装置２５には元管理ファイル１６の一部がダウンロードされて子管理ファイル２６として格納され、これを管理するアプリケーションプログラムも格納されている。子管理ファイル２６のデータは、データの一部を表示装置２３に表示することができるようになっている。中央処理装置２４は、記憶装置２５に格納された管理用のアプリケーションプログラムを起動すると、子管理ファイル２６の操作に関係する全ての機能をモバイル計算機２に付加することができる。
【００２７】
携帯用入出力端末３は、入力装置３１、表示装置３３、中央処理装置３４、記憶装置３５から構成される。記憶装置３５には子管理ファイル２６の中から１つの浄化槽チェックシート３６１（図５参照。）がダウンロードされ孫管理ファイル３６として格納されており、これを管理するアプリケーションプログラムも格納されている。浄化槽チェックシート３６１のデータの一部は表示装置３３に表示することができるようになっている。中央処理装置３４は、記憶装置３５に格納された管理用のアプリケーションプログラムを起動すると、浄化槽チェックシート３６１の表示とデータ入力に関係する全ての機能を携帯用入出力端末３に付加することができる。
【００２８】
なお、本実施形態における携帯用入出力端末３の管理用のアプリケーションプログラムの特徴的なものの一つは、浄化槽チェックシート３６１の表示切り替え時の時間を取得し記録する制御プログラムである。この制御プログラムは、浄化槽チェックシート３６１に含まれる各作業項目が表示装置３３に表示される際、各作業項目の表示切り替え前後の時間を携帯用入出力端末３の内部時計から取得し、この表示切り替え前後の時間間隔を、各作業項目の作業の所要時間として浄化槽チェックシート３６１へ記録するものである。
【００２９】
管理用計算機１とモバイル計算機２とを有線または無線で接続すると、元管理ファイル１６の中から一部の浄化槽チェックシートをダウンロードしてモバイル計算機２の子管理ファイル２６としたり、子管理ファイル２６の更新された子管理ファイルを元管理ファイル１６にアップロードしたりすることが可能となる。また、モバイル計算機２と携帯用入出力端末３とを有線または無線で接続すると、子管理ファイル２６の中から１つの浄化槽管理ファイル３６１をモバイル計算機２から携帯用入出力端末３にダウンロードしたり、データを入力して更新された浄化槽チェックシート３６１を含む孫管理ファイル３６を子管理ファイル２６にアップロードしたりすることが可能となる。
【００３０】
図５は、元管理ファイル１６と子管理ファイル２６、孫管理ファイル３６の関係を示している。元管理ファイル１６は当該企業が管理を委託されている全ての浄化槽チェックシート１６１が含まれており、図の例では１０００個の浄化槽チェックシートが含まれている場合が示されている。子管理ファイル２６は元管理ファイル１６の中から１日に巡回して管理する浄化槽のチェックシート２６１が取り出されて格納されており、図の例では１００個の浄化槽チェックシートが含まれている場合が示されている。この１００個は、１０００個の浄化槽チェックシート１６１のうち、１個目から順に１００個目まで取り出したものではなく、巡回する日の管理対象となっている１００ヶ所の浄化槽に対応する１００個が選択され取り出されている。孫管理ファイル３６は、子管理ファイル２６の中から取り出された１個の浄化槽チェックシート３６１だけを含んでおり、管理をする浄化槽のところにたどり着いたとき、管理をするその浄化槽に対応する１個の浄化槽チェックシート３６１を含んでいるのである。
【００３１】
次に、図２に戻って、（ｂ）の浄化槽チェックシートについて説明する。このチェックシートは管理する浄化槽の管理事項が順を追って記載されており、大項目と下位の小項目を含んで記載されている。具体的には、巡回車で浄化槽のところに到着した後になすべきことを、番号を追って順に示されており、ある浄化槽の例として示すと次のようになっている。
【００３２】
（１）巡回車を適当な駐車場所に駐車する。
（２）浄化槽の持ち主あるいは管理者に挨拶し、目視により確認できる事項のチェックをする。この項目には下位の項目があり（２０１）異常臭気のチェック、（２０２）異常騒音のチェック、（２０３）浄化槽周辺の異常のチェック、（２０４）点検口の開放状態の確認、（２０５）安全措置の確認、（２０６）設置者への報告、の順に実施することが示されている。
（３）浄化槽に対応する管理記録票を確認する。
（４）動力盤や制御盤等の電気設備を点検する。この項目には下位の項目があり、（４０１）故障表示のチェック、（４０２）各機器の異常電流のチェック、（４０３）各機器に設けられたスイッチの設定異常のチェック、（４０４）水道メータ等の点検、（４０５）電灯、分電盤の異常のチェック、（４０６）異常個所の点検、の順に実施することが示されている。
（５）浄化槽に注入する薬液等の調整をして浄化槽を管理する準備をする。この項目には下位の項目があり、（５０１）点検用器具の準備、を実施することが示されている。
（６）複数ある槽のそれぞれについて、単位装置の点検と水質測定をする。この項目には下位の項目があり、（６０１）油脂分離槽、（６０２）原水ポンプ槽、（６０３）放流管渠、（６０４）放流ポンプ槽、（６０５）消毒槽、（６０６）沈殿槽、（６０７）接触ばっ気槽、（６０８）嫌気ろ床槽第２室、（６０９）嫌気ろ床槽第１室、（６１０）ブロワ、（６１１）換気装置、の順に点検を実施することが示されている。
（７）複数ある槽のそれぞれについて、単位装置の保守をする。この項目には下位の項目があり、（７０１）流入管渠、（７０２）油脂分離槽、（７０３）原水ポンプ槽、（７０４）放流管渠、（７０５）放流ポンプ槽、（７０６）消毒槽、（７０７）沈殿槽、（７０８）接触ばっ気槽、（７０９）嫌気ろ床槽第２室、（７１０）嫌気ろ床槽第１室、（７１１）ブロワ、（７１２）換気装置、の順に点検を実施することが示されている。
（８）保守作業をした結果の状況についてチェックをする。
（９）各槽の点検口を密閉する。
（１０）動力盤や制御盤等の電気設備の状況を確認する。
（１１）後片付けをして整理整頓し、掃除をする。
（１２）前回の管理結果と比較し、記録の整理をする。
（１３）完了通知をする。
【００３３】
次に、図６のフロー図に従って、本実施形態における浄化槽管理システムによる浄化槽の管理方法について説明する。
【００３４】
（Ｓ１）浄化槽の管理を始める時、まず、管理棟１０にある管理用計算機１とモバイル計算機２を有線または無線で接続し、管理用計算機１の記憶装置１５に格納された元管理ファイル１６の中から、その日に巡回する浄化槽あるいは数日間に巡回する全ての浄化槽のチェックシート２６１をダウンロードし、子管理ファイル２６として記憶装置２５に格納する。そしてモバイル計算機２を巡回用の車２０に搭載する。
（Ｓ２）モバイル計算機２を起動すると、子管理ファイル２６に含まれる情報に基いて、浄化槽４の所在地又は地図情報を含む位置情報が表示装置２３に表示され、表示された指示に従い、作業者が浄化槽４へ向かう。
【００３５】
（Ｓ３）点検する浄化槽４のところに到着すると、モバイル計算機２と携帯用入出力端末３を有線または無線で接続し、その浄化槽のチェックシート３６１だけをモバイル計算機２からダウンロードして携帯用入出力端末３の記憶装置３５に格納する。
（Ｓ４）作業者が携帯用入出力端末３を持って車から降り、浄化槽のところに移動する。
（Ｓ５）携帯用入出力端末３を起動させると、浄化槽チェックシート３６１のうち、最初の作業項目が表示され、２回目以降であれば、順番どおりの作業項目が表示される。ここで、前述の制御プログラムは、作業項目の表示の際の時間をその作業項目の作業の開始時間として取得する。図７は各作業項目の表示切り替えと制御プログラムの動作の様子を示している。
【００３６】
（Ｓ６）作業者は携帯用入出力端末３の表示装置３３に表示されたとおりに、その項目の作業を実施する。
（Ｓ７）表示された作業を実施した場合は、実施したということを携帯用入出力端末３の入力装置３１から入力し、浄化槽チェックシート３６１の関係箇所に記入する。また、前述の制御プログラムは、この入力が終わったときの時間をその作業項目の作業の終了時間として取得し、（Ｓ５）で取得した作業の開始時間との差、すなわち各作業項目の表示切り替え前後の時間間隔（図７参照。）をその作業項目についての作業の所要時間として浄化槽チェックシート３６１に記録する。
（Ｓ８）携帯用入出力端末３が、浄化槽チェックシート３６１の全項目が終わったかどうかを判断する。全項目が終了している場合には、携帯用入出力端末３は、浄化槽チェックシート３６１に記録されているすべての作業項目についての各作業の所要時間を集計し、全作業の合計所要時間として浄化槽チェックシート３６１に記録する。
（Ｓ９）全項目が終了していなければ、（Ｓ５）に移行してその後の手順を繰り返す。
【００３７】
（Ｓ１０）全項目が終了していれば、作業者が携帯用入出力端末３を巡回用の車２０に持ち帰り、データが入力されて更新された浄化槽チェックシート３６１をモバイル計算機２にアップロードする。このとき、浄化槽チェックシート３６１には、（Ｓ３）でダウンロードした時間からこのアップロードするまでの時間が、作業準備時間を含む全作業の所要時間として記録される。これで１ヶ所の浄化槽の点検を終える。なお、全項目の作業を終了したときに、浄化槽管理の依頼元から料金の支払いがあれば、その情報も携帯用入出力端末３に入力して浄化槽チェックシートに付加される。
【００３８】
（Ｓ１１）次に、次の点検地が残っているかどうかをモバイル計算機２が判断する。
（Ｓ１２）残っていれば、モバイル計算機２が所在地または地図情報を含む位置情報を表示する次の点検地に巡回用の車２０で移動し、（Ｓ３）に移行してその後の手順を繰り返す。
（Ｓ１３）次の点検地が残っていなければ、その日に管理する全ての浄化槽についてなすべき作業が終了しているので、管理棟１０に戻ってモバイル計算機２の子管理ファイル２６を管理用計算機１にアップロードする。
（Ｓ１４）これでその日に管理された作業の実施状況の全データが記憶装置１５の元管理ファイル１６にアップロードされ、その後の処理・手続き等に必要な計算等が適宜行われる。
【００３９】
なお、（Ｓ１）と（Ｓ１２）のところで次の点検地へ移動する時の点検地の巡回順序は、効率よく巡回できるように予め決められており、その情報は子管理ファイル２６に含まれている。その順路は地理的位置関係や、交通事情、道路事情などが勘案され、最も効率のよい順路が決められている。
【００４０】
以上述べたように、本実施形態における浄化槽管理システムでは、およそ、１日分の浄化槽のデータあるいは各作業者が巡回を担当する数日間分の浄化槽のデータをモバイル計算機２にダウンロードするとモバイル計算機２の指示に従って巡回し、モバイル計算機２から浄化槽４のデータを携帯用入出力端末３にダウンロードして、その指示に従って管理をする、というようになっている。したがって、作業者による管理が漏れなく確実に行なわれるのである。
【００４１】
また、本実施形態における浄化槽管理システムでは、前述のように浄化槽チェックシート３６１に記録された各作業項目についての所要時間が、管理用計算機１の記憶装置１５の元管理ファイル１６に蓄積されている。したがって、管理用計算機１において各作業項目についての所要時間の平均値を求めることにより、各作業項目に対する適正な作業時間を算出することができるため、この適正な作業時間に基づいて浄化槽の各管理作業に対する適正な価格を設定することも可能である。また、浄化槽チェックシート３６１に記録されている全作業の合計所要時間に基づいて見積書を作成することも可能である。
【００４２】
図８は本発明の別の実施形態を示すブロック図、図９はその手順を示すフロー図であり、携帯用入出力端末３が図３、図４のモバイル計算機２と携帯用入出力端末３の機能を兼ね備えた場合を示している。この図の携帯用入出力端末３の記憶装置３５には、図４に示すモバイル計算機２の子管理ファイル２６が格納されており、これを管理するアプリケーションプログラムも格納されている。図８のフローチャートに示すこのシステムの動作手順は、図６のフローチャートにあるモバイル計算機２の機能を携帯用入出力端末３に付加した場合と同じになっているので、詳細な説明は省略して動作手順の大筋について説明する。
【００４３】
管理用計算機１の元管理ファイル１６の中から、その日に巡回して管理する浄化槽のチェックシートをダウンロードし、携帯用入出力端末３の記憶装置３５に格納して子管理ファイル２６とすると、携帯用入出力端末３を巡回用の車２０に搭載し、点検地の所在地または地図情報を表示して点検地へ移動する。到着すると、作業者が浄化槽のところへ携帯用入出力端末３を持ち出し、順を追ってその浄化槽のチェックシートにある作業項目を表示し、作業を実施する。そして実施した結果を携帯用入出力端末３に入力して、浄化槽チェックシートを更新し、子管理ファイル２６を更新する。このように携帯用入出力端末３だけを持ち出して浄化槽の管理をしており、前者のものに比べて操作が簡単になっている。
【産業上の利用可能性】
【００４４】
本発明は、個人住宅や地域に分散する施設等の浄化槽を巡回して点検や保守などを行い、またはこれらの浄化槽の検査や清掃などを行い、その場で報告書等の作成作業を行って管理するための浄化槽管理システムに有用である。
【図面の簡単な説明】
【００４５】
【図１】本発明の実施の形態における浄化槽チェックシートの作成方法を説明する図である。
【図２】浄化槽チェックシートの第２の作成方法を説明する図である。
【図３】本発明の実施の形態における浄化槽管理システムの概要を説明する図である。
【図４】図３の浄化槽管理システムの構成を示すブロック図である。
【図５】図３の浄化槽管理システムにおいて使われるファイルの構成を示す図である。
【図６】図３の浄化槽管理システムによる浄化槽管理手順を示すフロー図である。
【図７】各作業項目の表示切り替えと制御プログラムの動作の様子を示す図である。
【図８】本発明の別の実施形態における浄化槽管理システムの構成を示すブロック図である。
【図９】図８の浄化槽管理システムによる浄化槽管理手順を示すフロー図である。
【符号の説明】
【００４６】
Ａ  浄化槽
Ａ１  浄化槽のチェックシート
ａ  沈殿分離槽
ａ１  沈殿分離槽のチェックシート
ｂ  接触ばっ気槽
ｂ１  接触ばっ気槽のチェックシート
ｃ  沈殿槽
ｃ１  沈殿槽のチェックシート
ｄ  消毒槽
ｄ１  消毒槽のチェックシート
１  管理用計算機
１６  元管理ファイル
１０  管理棟
２  モバイル計算機
２６  子管理ファイル
２０  巡回用の車
３  携帯用入出力端末
３６  孫管理ファイル
４  浄化槽
１１，２１，３１  入力装置
１２，２２  出力装置
１３，２３，３３  表示装置
１４，２４，３４  中央処理装置
１５，２５，３５  記憶装置
１６１，２６１，３６１  浄化槽チェックシート
【図１】
0003649726.tif 000002
【図２】
0003649726.tif 000003
【図３】
0003649726.tif 000004
【図４】
0003649726.tif 000005
【図５】
0003649726.tif 000006
【図６】
0003649726.tif 000007
【図７】
0003649726.tif 000008
【図８】
0003649726.tif 000009
【図９】
0003649726.tif 000010